(57)【要約】【課題】キッチンの換気扇を回したとき、通常、閉じられているごみ投入口の開閉扉からキッチン内に誘引される臭気を防げるごみ収納装置を提供する。【解決手段】外壁７を挟んで室内側に開口するごみ投入口３と、投入されたごみを屋外のごみ収納庫４に排出するために外壁７を貫通して斜設されたシュータ５と、上記ごみ収納庫４を収容するハウジング部６とからなり、該ハウジング部６の上部には排気ファン８が設けられるとともに、上記シュータ５には端部を開放端とする給気ダクト１が接続されたごみ収納装置。【選択図】図１
2005306518.tif 000002
【特許請求の範囲】
【請求項１】
外壁を挟んで室内側に開口するごみ投入口と、投入されたごみを屋外のごみ収納庫に排出するために外壁を貫通して斜設されたシュータと、上記ごみ収納庫を収容するハウジング部とからなり、該ハウジング部の上部には排気ファンが設けられるとともに、上記シュータには端部を開放端とする給気ダクトが接続されたごみ収納装置。
【請求項２】
上記給気ダクトが外壁内部を貫通してシュータ上面に接続された請求項１に記載のごみ収納装置。
【請求項３】
上記給気ダクトが屋外でシュータ上面に接続された請求項１に記載のごみ収納装置。
【請求項４】
上記排気ファンがキッチンの換気扇と連動して駆動される請求項１に記載のごみ収納装置。
【発明の詳細な説明】
【技術分野】
【０００１】
本発明は、ごみ収納装置に関する。さらに詳しくは、キッチンからのごみ、とくに、生ごみをキッチン内の投入口から屋外のごみ収納装置に直接排出し、一時保管するごみ収納装置の構造に関する。
【背景技術】
【０００２】
従来、キッチンで発生する生ごみは一定量が溜まると、屋外のごみ容器に移し、ごみ収集日にまとめて廃棄されてきた。しかしながら、その都度、屋外に生ごみを運ぶのは面倒であり、また、水分が洩れたりして不衛生でもあるので、近年キッチンの投入口から直接、生ごみを屋外の収納庫に排出できるごみ収納装置が開発されている。
【特許文献１】実開平７−０３５４０６号公報（第１−２頁、第１図）
【発明の開示】
【発明が解決しようとする課題】
【０００３】
上記技術においては、常に付勢手段により閉じられているキッチン側の投入口の扉を、生ごみ投入時に開けたとき、屋外の収納庫に設けられた排気ファンを連動して駆動させ、臭気がキッチン内に逆流することを防ぐ技術が開示されている。通常、上記投入口の扉は、パッキンが介装され、閉じられた生ごみ投入口の扉から臭気が漏出しないようにシールされているが、キッチンに僅かに進入する臭気を防ぐことは困難であり、とくに、キッチンの換気扇を回したときに、臭気が誘引されてキッチン内に進入し、臭気が顕著となるため、その対策が望まれている。本発明は、このような問題を解決し、生ごみを投入するときのみならず、通常、閉じられている投入口から漏出し、とくに、キッチンの換気扇を回したときに誘引され、進入する臭気を防ぐことのできるごみ収納装置を提供することをその課題とする。
【課題を解決するための手段】
【０００４】
上記課題を解決するため、本発明においては、つぎのような技術的手段を講じている。すなわち、本発明によれば、外壁を挟んで室内のキッチンに開口するごみ投入口と、投入されたごみを屋外のごみ収納庫に排出するために外壁を貫通して斜設されたシュータと、上記ごみ収納庫を収容するハウジング部とからなり、該ハウジング部の上部には排気ファンが設けられるとともに、上記シュータには端部を開放端とする給気ダクトが接続されたごみ収納装置が提供される。
【０００５】
上記給気ダクトが外壁内部を貫入してシュータ上面に接続されることが好ましい。また、上記給気ダクトが屋外でシュータ上面に接続されることが好ましい。さらに、上記排気ファンがキッチンの換気扇と連動して駆動されることが好ましい。
【発明の効果】
【０００６】
請求項１に記載の発明は上記のとおりであり、投入されたごみを屋外のごみ収納庫に排出するために外壁を貫通して斜設されたシュータに外気を導入する給気ダクトが接続されているため、排気ファンが稼動していない状態では、臭気が上記給気ダクトの開放端から自然換気により外気中に排出され、キッチンの換気扇を回したときは、上記給気ダクトから大気が吸引される。その結果、ごみ投入口を閉じた状態においてもキッチン内には、臭気を殆ど含まない外気が誘引されるため、キッチン内に臭気が進入することを防げる。
【０００７】
上記給気ダクトが外壁内部を貫入してシュータ上面に接続された実施形態においては、給気ダクトが外部から目隠しされているため、外観的に優れたものとすることができる。また、上記給気ダクトが屋外でシュータ上面に接続された実施形態においては、保守点検を容易に行なうことができる。
【０００８】
上記排気ファンがキッチンの換気扇と連動して駆動するように制御することにより、換気扇のオンとともに、ハウジング部の排気ファンが駆動して臭気を排気し、一方、キッチンの換気扇により、給気ダクトからの新鮮な外気がキッチン内に誘引されるため、排気ファンによる臭気の排気と、換気扇による外気の誘引とによってキッチン内に臭気が進入することを効果的に防げる。
【発明を実施するための最良の形態】
【０００９】
以下、本発明の実施形態について図面を参照して、詳細に説明する。図１は、本発明の第一実施形態にかかるごみ収納装置Ａを示す部分側断面図である。図１において、上記ごみ収納装置Ａは、室内側に開口するごみ投入口３と、屋外に設置されるごみ収納庫４と、投入されたごみを屋外のごみ収納庫４に排出するために外壁７を貫通して斜設されたシュータ５と、上記ごみ収納庫４を収容するハウジング部６とからなり、開放端１１を有する給気ダクト１が外壁７の内部に貫入されるとともに、他端はシュータ５の上面に接続されている。ごみ投入口３には、パッキン３２を介して開閉扉３１が設けられ、また、ごみの臭気は、ハウジング部６の上部に設けられた排気ファン８により、矢印にしたがって排気口８１から排気される。
【００１０】
図２は、上記第一実施形態にかかるごみ収納装置Ａをキッチンに設置した状態を示す部分側断面図である。図２において、符号Ｃはごみ収納装置Ａに付設されたコントローラを表し、キッチン内を換気するため、換気扇９のスイッチをオンとした時、コントローラＣは、排気ファン８の駆動を指令し、排気ファン８は、ハウジング部６内の臭気をガラリ構造の排気口８１から排気する。このとき、キッチン内は、換気扇９の駆動により僅かに負圧とされているため、給気ダクト１からの新鮮な外気が、矢印で示すようにパッキン３２のシールを通り抜けてキッチン内に誘引される。このように、排気ファン８の駆動と給気ダクト１からの新鮮な外気の誘引とによって、ごみ収納庫４からの生ごみ等のごみによる不快な臭気がキッチン内に進入することを効果的に防ぐことができる。
【００１１】
図３は、本発明の第二実施形態にかかるごみ収納装置Ｂを示す部分側断面図である。図３において、上記ごみ収納装置Ｂは、室内側に開口するごみ投入口３と、屋外に設置されるごみ収納庫４と、投入されたごみを屋外のごみ収納庫４に排出するために外壁７を貫通して斜設されたシュータ５と、上記ごみ収納庫４を収容するハウジング部６とからなり、開放端２１を有する給気ダクト２が屋外でシュータ５の上面に接続されている。また、ハウジング部６の上部には排気ファン８が設けられている。排気ファン８は、上記第一実施形態と同様にしてコントローラＣの制御により換気扇９と連動し、排気口８１から臭気を排気する。さらに、給気ダクト２から新鮮な外気が、換気扇９の駆動によって僅かに負圧とされたキッチン内に誘引されるため、第一実施形態の場合と同様にごみ収納庫４からの生ごみ等のごみによる不快な臭気がキッチン内に進入することを効果的に防ぐことができる。
【図面の簡単な説明】
【００１２】
【図１】本発明の第一実施形態にかかるごみ収納装置を示す部分側断面図である。
【図２】第一実施形態にかかるごみ収納装置のごみ投入口をキッチンに設けた状態を示す部分側断面図である。
【図３】本発明の第二実施形態にかかるごみ収納装置を示す部分側断面図である。
【符号の説明】
【００１３】
Ａ          第一実施形態にかかるごみ収納装置
１          給気ダクト
１１        開放端
３          ごみ投入口
３１        開閉扉
３２        パッキン
４          ごみ収納庫
５          シュータ
６          ハウジング部
７          外壁
８          排気ファン
８１        排気口
９          換気扇
Ｂ          第二実施形態にかかるごみ収納装置
２          給気ダクト
２１        開放端
Ｃ          コントローラ
【図１】
2005306518.tif 000003
【図２】
2005306518.tif 000004
【図３】
2005306518.tif 000005